(57)【要約】【課題】  変調された送信信号を増幅し無線送信する送信回路において、送信信号のノイズを低減する。【解決手段】  ＭＯＤ１は、送信信号ＩＮを直接変調する。ＧＣＡ２は、通信相手との距離に応じて利得を可変し、ＭＯＤ１から出力される送信信号ＩＮを増幅する。ＰＡＤＡ３は、後段のＳＡＷフィルタ４、ＰＡ５を駆動するため整合した一定の出力インピーダンスを有し、通信相手との距離に応じて利得を可変し、ＧＣＡ２から出力される送信信号ＩＮを増幅する。よって、小さな利得が要求される場合、ＰＡＤＡ３の利得を下げることによって、前段のＧＣＡ２の利得を必要以上に下げる必要がなく、ノイズを低減できる。【選択図】 図１
2005079943.tif 000002
【特許請求の範囲】
【請求項１】
変調された送信信号を増幅し無線送信する送信回路において、
通信相手との距離に応じて利得を決定し、前記送信信号を増幅する第１の利得制御増幅手段と、
出力先の回路と整合する出力インピーダンスを有すると共に、前記通信相手との距離に応じて利得を決定し、前記第１の利得制御増幅手段から出力される前記送信信号を決定された前記利得で増幅する第２の利得制御増幅手段と、
を有することを特徴とする送信回路。
【請求項２】
前記第２の利得制御増幅手段は、
前記利得の大きさに依らず前記出力インピーダンスを一定とする整合回路と、
前記送信信号を決定された前記利得で増幅する増幅回路と、
を有することを特徴とする請求項１記載の送信回路。
【請求項３】
前記第２の利得制御増幅手段から出力される前記送信信号のノイズを除去するフィルタ回路と、
前記フィルタ回路から出力される前記送信信号を所定の利得で増幅する固定利得増幅回路と、
をさらに有することを特徴とする請求項１記載の送信回路。
【請求項４】
変調された送信信号を増幅し無線送信する携帯電話において、
基地局との距離に応じて利得を決定し、前記送信信号を増幅する第１の利得制御増幅手段と、
出力先の回路と整合する出力インピーダンスを有すると共に、前記基地局との距離に応じて利得を決定し、前記第１の利得制御増幅手段から出力される前記送信信号を決定された前記利得で増幅する第２の利得制御増幅手段と、
を有することを特徴とする携帯電話。
【請求項５】
前記第２の利得制御増幅手段は、
前記利得の大きさに依らず前記出力インピーダンスを一定とする整合回路と、
前記送信信号を決定された前記利得で増幅する増幅回路と、
を有することを特徴とする請求項４記載の携帯電話。
【請求項６】
前記第２の利得制御増幅手段から出力される前記送信信号のノイズを除去するフィルタ回路と、
前記フィルタ回路から出力される前記送信信号を所定の利得で増幅する固定利得増幅回路と、
をさらに有することを特徴とする請求項４記載の携帯電話。
【発明の詳細な説明】
【技術分野】
【０００１】
本発明は送信回路および携帯電話に関する。
【背景技術】
【０００２】
ＣＤＭＡ方式の携帯電話では、基地局との距離に応じて送信信号の利得を可変している。基地局との距離が遠ければ、送信信号を確実に送信できるよう利得を大きくし、基地局との距離が近ければ、電力を低減するよう送信信号の利得を小さくしている。
【０００３】
図６は、従来の携帯電話の送信回路の回路図である。図に示すように送信回路は、ＭＯＤ（Modulation）１０１、ＧＣＡ（Gain Control Amplifier）１０２、ＰＡＤＡ（Power Amplifier Drive Amplifier）１０３、整合回路１０４、ＳＡＷ（Surface Acoustic Wave）フィルタ１０５、ＰＡ（Power Amplifier）１０６、ＤＵＰ（Duplexer）フィルタ１０７、およびアンテナ１０８を有している。送信回路は、例えば、ＣＤＭＡ方式の携帯電話に搭載され、利得制御範囲を８０ｄＢ以上必要とする。
【０００４】
ＭＯＤ１０１には、ベースバンド部から送信信号ＩＮが入力される。ＭＯＤ１０１は、送信信号ＩＮを直接変調（direct modulation）し、ＧＣＡ１０２に出力する。
ＧＣＡ１０２は、基地局との距離によって電圧が変化する利得制御信号ＶＣと送信信号ＩＮとが入力される。ＧＣＡ１０２は、利得制御信号ＶＣに応じて送信信号ＩＮの利得を可変しＰＡＤＡ１０３に出力する。具体的には、基地局との距離が遠いことを示す利得制御信号ＶＣが入力されれば、ＧＣＡ１０２は、利得を大きくして送信信号ＩＮをＰＡＤＡ１０３に出力する。基地局との距離が近いことを示す利得制御信号ＶＣが入力されれば、ＧＣＡ１０２は、利得を小さくして送信信号ＩＮをＰＡＤＡ１０３に出力する。ＧＣＡ１０２は、例えば、３段の可変利得増幅器で構成され、８０ｄＢの範囲で利得制御ができる。
【０００５】
ＰＡＤＡ１０３は、ＳＡＷフィルタ１０５、ＰＡ１０６をドライブするための固定利得増幅器である。整合回路１０４は、ＰＡＤＡ１０３と後段のＳＡＷフィルタ１０５の整合をとる回路である。整合回路１０４は、インダクタや容量素子で構成され、例えば、ＰＡＤＡ１０３の出力側から整合回路１０４を見るとインピーダンスが２００Ωとなるようになっている。ＰＡＤＡ１０３は、インダクタや容量素子で整合がとられるため、出力インピーダンスが変化しない固定利得の増幅器となっている。なお、ＭＯＤ１０１、ＧＣＡ１０２、およびＰＡＤＡ１０３は、一般に１チップの半導体装置に形成され、整合回路１０４は、半導体装置に外付けされる。
【０００６】
ＳＡＷフィルタ１０５は、送信信号ＩＮに含まれるノイズを除去する。ＰＡ１０６は、ＳＡＷフィルタ１０５から出力される送信信号ＩＮを増幅する。ＤＵＰフィルタ１０７は、ＰＡ１０６から出力される送信信号ＩＮのノイズを除去し、アンテナ１０８に出力する。これによって、送信信号ＩＮは、アンテナ１０８から出力される。
【０００７】
ところで、ＰＡＤＡ１０３の利得を小さくすると（例えば０ｄＢ）、前段のＧＣＡ１０２の利得を高くする必要があり、信号の歪みを抑えるために多量の電流を必要とする。そのため、ＰＡＤＡ１０３の利得はある程度高く（１０ｄＢ以上）する必要がある。
【０００８】
なお、変調器、可変利得アンプ（ＶＧＡ）および固定利得のＰＡドライバアンプを１チップ化した半導体装置がある（例えば、非特許文献１参照）。この半導体装置では、可変利得アンプの利得だけでは足りない場合に必要に応じて固定利得のＰＡＤＡが利用できるようになっている。
【非特許文献１】ＭＡＸＩＭ製品情報、“ＭＡＸ２７２０／ＭＡＸ２７２１”、［online］、［平成１５年７月２３日検索］、インターネット＜URL:http://pdfserv.maxim-ic.com/arpdf/2165J.pdf＞
【発明の開示】
【発明が解決しようとする課題】
【０００９】
しかし、ＰＡＤＡ１０３の利得を高く設定すると、小さな利得が要求される場合に前段のＧＣＡ１０２の利得を低くしなければならずノイズ特性が悪くなるという問題点があった。
【００１０】
ここで、ＮＦ（Noise Figure）の式を以下に示す。
ＴＮＦ（ｎ）＝ＴＮＦ（ｎ−１）＋（ＮＦ（ｎ）−１）／ＴＧ（ｎー１）……（１）
ただし、ＴＮＦ（ｎ）：ｎ段目までのトータルＮＦ、ＴＮＦ（ｎ−１）：ｎ−１段目までのトータルＮＦ、ＮＦ（ｎ）：ｎ段目単体のＮＦ、ＴＧ（ｎー１）：ｎ−１段目までのトータルゲインである。式（１）に示すように前段までの利得が低いほど第２項の分母が小さくなるため、ＴＮＦ値は悪くなり、ノイズ特性が悪くなることがわかる。
【００１１】
本発明はこのような点に鑑みてなされたものであり、前段の利得制御増幅器（ＧＣＡ）での利得の低減を抑え、ノイズを低減した送信回路および携帯電話を提供することを目的とする。
【課題を解決するための手段】
【００１２】
本発明では上記問題を解決するために、変調された送信信号を増幅し無線送信する送信回路において、通信相手との距離に応じて利得を決定し、前記送信信号を増幅する第１の利得制御増幅手段と、出力先の回路と整合する出力インピーダンスを有すると共に、前記通信相手との距離に応じて利得を決定し、前記第１の利得制御増幅手段から出力される前記送信信号を決定された前記利得で増幅する第２の利得制御増幅手段と、を有することを特徴とする送信回路が提供される。
【００１３】
このような送信回路によれば、第２の利得制御増幅手段は、出力先の回路と整合する出力インピーダンスを有して、第１の利得制御増幅手段から出力される送信信号を、通信相手との距離に応じて利得を決定し増幅する。よって、小さな利得が要求される場合に、第２の利得制御増幅手段の利得を下げることによって、前段の第１の利得制御増幅手段の利得を必要以上に下げる必要がなくなる。
【発明の効果】
【００１４】
本発明の送信回路では、第２の利得制御増幅手段の利得を通信相手との距離に応じて決定するので、前段の第１の利得制御増幅手段の利得を必要以上に下げる必要がなくなり、ノイズを低減することができる。
【発明を実施するための最良の形態】
【００１５】
以下、本発明の実施の形態を図面を参照して詳細に説明する。図１は、本発明の送信回路の回路図である。図に示すように送信回路は、ＭＯＤ１、ＧＣＡ２、ＰＡＤＡ３、ＳＡＷフィルタ４、ＰＡ５、ＤＵＰフィルタ６、およびアンテナ７を有している。送信回路は、例えば、ＣＤＭＡ方式の携帯電話に搭載され、利得制御範囲を８０ｄＢ以上必要とする。
【００１６】
ＭＯＤ１には、ベースバンド部から送信信号ＩＮが入力される。ＭＯＤ１は、送信信号ＩＮを直接変調し、ＧＣＡ２に出力する。
ＧＣＡ２は、基地局との距離によって電圧が変化する利得制御信号ＶＣと送信信号ＩＮとが入力される。ＧＣＡ２は、利得制御信号ＶＣに応じて送信信号ＩＮの利得を可変しＰＡＤＡ３に出力する。具体的には、基地局との距離が遠いことを示す利得制御信号ＶＣが入力されれば、ＧＣＡ２は、利得を大きくして送信信号ＩＮをＰＡＤＡ３に出力する。基地局との距離が近いことを示す利得制御信号ＶＣが入力されれば、ＧＣＡ２は、利得を小さくして送信信号ＩＮをＰＡＤＡ３に出力する。ＧＣＡ２は、例えば、２段の可変利得増幅器で構成される。
【００１７】
ＰＡＤＡ３は、ＳＡＷフィルタ４、ＰＡ５をドライブするための可変利得増幅器である。ＰＡＤＡ３は、ＧＣＡ２から出力される送信信号ＩＮと利得制御信号ＶＣとが入力される。ＰＡＤＡ３は、ＧＣＡ２と同様に、利得制御信号ＶＣに応じて送信信号ＩＮの利得を可変しＳＡＷフィルタ４に出力する。また、ＰＡＤＡ３の出力段には、利得が変化しても一定の出力インピーダンスを持つ整合回路を具備し、後段のＳＡＷフィルタ４と整合がとられている。
【００１８】
図２は、図１のＰＡＤＡの回路図である。図に示すようにＰＡＤＡは、ｎｐｎのトランジスタＱ１〜Ｑ６、インダクタＬ１〜Ｌ４、コンデンサＣ１〜Ｃ４、および抵抗Ｒ１〜Ｒ４を有している。
【００１９】
トランジスタＱ１のコレクタは、トランジスタＱ３，Ｑ４のエミッタと接続されている。トランジスタＱ１のエミッタは、一端がグランドと接続されたインダクタＬ１と接続されている。トランジスタＱ１のベースには、送信信号ＩＮの一方の信号ＩＮＡが入力される。
【００２０】
トランジスタＱ２のコレクタは、トランジスタＱ５，Ｑ６のエミッタと接続されている。トランジスタＱ２のエミッタは、一端がグランドと接続されたインダクタＬ２と接続されている。トランジスタＱ２のベースには、送信信号ＩＮの他方の信号ＩＮＢが入力される。
【００２１】
トランジスタＱ３のコレクタは、一端が電源ノードＮ１と接続されたコンデンサＣ１、インダクタＬ３と接続されている。また、トランジスタＱ３のコレクタは、一端が後段のＳＡＷフィルタ４と接続されるコンデンサＣ２と接続されている。さらに、トランジスタＱ３のコレクタは、抵抗Ｒ２を介してトランジスタＱ４のコレクタと接続されている。トランジスタＱ３のベースには、利得制御信号ＶＣの一方の電圧が入力される。
【００２２】
トランジスタＱ４のコレクタは、一端が電源ノードＮ１と接続された抵抗Ｒ１と接続されている。トランジスタＱ４のベースには、利得制御信号ＶＣの他方の電圧が入力される。
【００２３】
トランジスタＱ５のコレクタは、一端が電源ノードＮ１と接続された抵抗Ｒ３と接続されている。トランジスタＱ５のベースには、利得制御信号ＶＣの他方の電圧が入力される。
【００２４】
トランジスタＱ６のコレクタは、一端が電源ノードＮ１と接続されたコンデンサＣ３、インダクタＬ４と接続されている。また、トランジスタＱ６のコレクタは、一端が後段のＳＡＷフィルタ４と接続されるコンデンサＣ４と接続されている。さらに、トランジスタＱ６のコレクタは、抵抗Ｒ４を介してトランジスタＱ５のコレクタと接続されている。トランジスタＱ６のベースには、利得制御信号ＶＣの一方の電圧が入力される。
【００２５】
コンデンサＣ２，Ｃ４、インダクタＬ３，Ｌ４は、整合回路を構成している。コンデンサＣ２，Ｃ４、インダクタＬ３，Ｌ４の値は、後段に接続されるＳＡＷフィルタ４と整合がとれる値を選択するようにする。
【００２６】
以下、図２のＰＡＤＡの動作について説明する。トランジスタＱ３，Ｑ４およびトランジスタＱ５，Ｑ６は、ベースに入力される利得制御信号ＶＣに応じて、ＳＡＷフィルタ４に出力する信号の利得を可変する。トランジスタＱ３のベースの電位がトランジスタＱ４のベースの電位より大きい場合、電源ノードＮ１からインダクタＬ３の経路と抵抗Ｒ１，Ｒ２の経路とを電流が流れトランジスタＱ３のコレクタに流れる。トランジスタＱ３は、ベースに入力される利得制御信号ＶＣの大きさによって、コレクタ−エミッタ間に流れる電流量を制御する。トランジスタＱ４のベースの電位がトランジスタＱ３のベースの電位より大きい場合、電源ノードＮ１からインダクタＬ３、抵抗Ｒ２の経路と抵抗Ｒ１の経路とを電流が流れトランジスタＱ４のコレクタに流れる。トランジスタＱ４は、ベースに入力される利得制御信号ＶＣの大きさによって、コレクタ−エミッタ間に流れる電流量を制御する。トランジスタＱ１は、信号ＩＮＡをトランジスタＱ３，Ｑ４のエミッタからコレクタに流れ込む電流量により制御する。すなわち、利得制御信号ＶＣによってトランジスタＱ３，Ｑ４によって流れる電流量を制御して利得を可変する。そして、トランジスタＱ１によって信号ＩＮＡをトランジスタＱ３，Ｑ４を流れる電流量に応じて制御する。抵抗Ｒ２とインダクタＬ３の接続点には、電流量に応じた電圧が生じ、コンデンサＣ２を介して出力信号ＯＵＴＢとしてＳＡＷフィルタ４に出力される。
【００２７】
トランジスタＱ６のベースの電位がトランジスタＱ５のベースの電位より大きい場合、電源ノードＮ１からインダクタＬ４の経路と抵抗Ｒ３，Ｒ４の経路とを電流が流れトランジスタＱ６のコレクタに流れる。トランジスタＱ６は、ベースに入力される利得制御信号ＶＣの大きさによって、コレクタ−エミッタ間に流れる電流量を制御する。トランジスタＱ５のベースの電位がトランジスタＱ６のベースの電位より大きい場合、電源ノードＮ１からインダクタＬ４、抵抗Ｒ４の経路と抵抗Ｒ３の経路とを電流が流れトランジスタＱ５のコレクタに流れる。トランジスタＱ５は、ベースに入力される利得制御信号ＶＣの大きさによって、コレクタ−エミッタ間に流れる電流量を制御する。トランジスタＱ２は、信号ＩＮＢをトランジスタＱ５，Ｑ６のエミッタからコレクタに流れ込む電流量により制御する。すなわち、利得制御信号ＶＣによってトランジスタＱ５，Ｑ６によって流れる電流量を制御して利得を可変する。そして、トランジスタＱ２によって信号ＩＮＢをトランジスタＱ５，Ｑ６を流れる電流量に応じて制御する。抵抗Ｒ４とインダクタＬ４の接続点には、電流量に応じた電圧が生じ、コンデンサＣ４を介して出力信号ＯＵＴＡとしてＳＡＷフィルタ４に出力される。
【００２８】
利得と出力インピーダンスについて説明する。図３は、図２のＰＡＤＡをシングルにした回路図で、図４は、図３のシングルのＰＡＤＡの等価回路である。図３，図４において図２と同じものには同じ符号を付し、その説明を省略する。
【００２９】
図４のインピーダンスＺ１は、図３のインダクタＬ１に対応している。図４のインピーダンスＺ２は、図３のコンデンサＣ１，Ｃ２、インダクタＬ３の合成インピーダンスに対応している。図４に示すＰＡＤＡの利得Ｇｐは、次の式（２）で示される。
Ｇｐ＝Ｇｍａｘ／｛１＋ｅｘｐ（−Ｖｃ／Ｖｔ）｝
＋Ｇｍｉｎ／｛１＋ｅｘｐ（Ｖｃ／Ｖｔ）｝…（２）
ただし、Ｇｍａｘ＝｛Ｚ２／／（Ｒ１＋Ｒ２）｝／Ｚ１
Ｇｍｉｎ＝［｛Ｒ２／／（Ｚ２＋Ｒ１）｝×｛Ｚ２／（Ｚ２＋Ｒ１）｝］／Ｚ１
Ｖｃ＝ＶＢＥ１−ＶＢＥ２、Ｖｔ：ボルツマン定数
ここで、図４の出力信号ＯＵＴＢが出力される点（インピーダンスＺ２と抵抗Ｒ１とトランジスタＱ３のコレクタとの接続点）から見たインピーダンスは、ほぼＺ２／／（Ｒ１＋Ｒ２）と等価であり、利得によって変化しない。
【００３０】
すなわち、利得に応じて整合回路を構成しているインダクタＬ３の電流経路を変更することによって、ＰＡＤＡの出力インピーダンスは利得の可変によって影響を受けず、一定となるようになっている。
【００３１】
なお、ＭＯＤ１、ＧＣＡ２、およびＰＡＤＡ３は、１チップの半導体装置に形成することができる。この場合、ＰＡＤＡ３の出力段に整合回路が設けられるので整合回路を外付けする必要がない。
【００３２】
図１の説明に戻る。ＳＡＷフィルタ４は、ＰＡＤＡ３から出力される送信信号ＩＮに含まれるノイズを除去する。送信信号ＩＮは、例えば、ＣＤＭＡ方式であれば１９２０ＭＨｚ〜１９８０ＭＨｚの周波数を持つ。この場合、ＳＡＷフィルタ４は、１９２０ＭＨｚ〜１９８０ＭＨｚの周波数の信号を通過させ、それ以外の周波数の信号を除去する。
【００３３】
ＰＡ５は、固定利得増幅器でＳＡＷフィルタ４から出力される送信信号ＩＮを増幅する。ＤＵＰフィルタ６は、ＰＡ５から出力される送信信号ＩＮに含まれるノイズを除去し、アンテナ７に出力する。ＤＵＰフィルタ６は、例えば、ＣＤＭＡ方式であればＳＡＷフィルタ４と同様に１９２０ＭＨｚ〜１９８０ＭＨｚの周波数の信号を通過させる。アンテナ７は、ＤＵＰフィルタ６から出力される送信信号ＩＮを基地局へ無線送信する。
【００３４】
以下、図１の送信回路の動作について説明する。ＢＢ部から出力される送信信号ＩＮは、ＭＯＤ１に入力され直接変調される。直接変調された送信信号ＩＮは、ＧＣＡ２、ＰＡＤＡ３によって増幅される。ＧＣＡ２、ＰＡＤＡ３は、携帯電話と基地局との距離に応じて、利得を可変し増幅する。基地局との距離が近ければ利得は小さくなり、遠ければ利得は大きくなる。
【００３５】
ＰＡＤＡ３から出力される送信信号ＩＮは、ＳＡＷフィルタ４に入力される。ＳＡＷフィルタ４は、送信信号ＩＮに含まれるノイズを除去する。ＰＡ５は、送信信号ＩＮをさらに増幅し、ＤＵＰフィルタ６に出力する。ＤＵＰフィルタ６は、さらに送信信号ＩＮに含まれるノイズを除去し、アンテナ７へ出力する。
【００３６】
次に、図１の送信回路のＧＣＡ、ＰＡＤＡの利得について図６の送信回路と比較しながらレベルチャートを用いて説明する。図５は、ＧＣＡとＰＡＤＡのレベルチャートを示した図である。図５に示す実線は図１の送信回路のレベルチャートを示し、点線は図６の送信回路のレベルチャートを示す。縦軸はｄＢｍを示す。横軸は利得を可変する回路を示し、矢印Ａ１は図１に示すＧＣＡ２の１段目の可変利得増幅器、矢印Ａ２はＧＣＡ２の２段目の可変利得増幅器、矢印Ａ３はＰＡＤＡ３を示す。矢印Ｂ１は図６に示すＧＣＡ１０２の１段目の可変利得増幅器、矢印Ｂ２はＧＣＡ１０２の２段目の可変利得増幅器、矢印Ｂ３はＧＣＡ１０２の３段目の可変利得増幅器、矢印Ｂ４はＰＡＤＡ１０３を示す。
【００３７】
ＧＣＡ２，１０２の１段目、２段目の可変利得増幅器は、利得を−２．５ｄＢ〜２．５ｄＢの範囲で可変するとする。ＧＣＡ１０２の３段目の可変利得増幅器は、利得を−５ｄＢ〜０ｄＢの範囲で可変するとする。ＰＡＤＡ３は７．５ｄＢ〜１２．５ｄＢの範囲で利得を可変するとする。ＰＡＤＡ１０３は、１２．５ｄＢの固定利得を有するとする。
【００３８】
図１の送信回路は、まずＧＣＡ２の２段目の可変利得増幅器の利得を絞り、次にＰＡＤＡ３の利得を絞り、最後にＧＣＡ２の１段目の可変利得増幅器の利得を絞る。図６の送信回路は、まずＧＣＡ１０２の２段目の可変利得増幅器の利得を絞り、次にＧＣＡ１０２の３段目の可変利得増幅器の利得を絞り、最後にＧＣＡ１０２の１段目の可変利得増幅器の利得を絞る。一般的に歪み特性とノイズ特性を両立させたい場合、ＧＣＡ２，１０２の２段目の可変利得増幅器から利得を絞るようにする。図１、図６の送信回路は、−１２．５ｄＢｍの送信信号ＩＮを５ｄＢｍから−１０ｄＢｍに可変するとする。
【００３９】
図１の送信回路で５ｄＢｍの送信信号ＩＮを得るには、ＧＣＡ２の１段目および２段目の可変利得増幅器の利得を２．５ｄＢにする。ＰＡＤＡ３の利得を１２．５ｄＢにする。これによって、５ｄＢｍの送信信号ＩＮを得ることができる。また、０ｄＢｍの送信信号ＩＮを得るには、ＧＣＡ２の１段目の可変利得増幅器の利得を２．５ｄＢにする。ＧＣＡ２の２段目の可変利得増幅器の利得を−２．５ｄＢにする。ＰＡＤＡ３の利得を１２．５ｄＢにする。これによって、０ｄＢｍの送信信号ＩＮを得ることができる。また、−５ｄＢｍの送信信号ＩＮを得るには、ＧＣＡ２の１段目の可変利得増幅器の利得を２．５ｄＢにする。ＧＣＡ２の２段目の可変利得増幅器の利得を−２．５ｄＢにする。ＰＡＤＡ３の利得を７．５ｄＢにする。これによって、−５ｄＢｍの送信信号ＩＮを得ることができる。また、−１０ｄＢｍの送信信号ＩＮを得るには、ＧＣＡ２の１段目の可変利得増幅器の利得を−２．５ｄＢにする。ＧＣＡ２の２段目の可変利得増幅器の利得を−２．５ｄＢにする。ＰＡＤＡ３の利得を７．５ｄＢにする。これによって、−１０ｄＢｍの送信信号ＩＮを得ることができる。
【００４０】
図６の送信回路で５ｄＢｍの送信信号ＩＮを得るには、ＧＣＡ１０２の１段目および２段目の可変利得増幅器の利得を２．５ｄＢにする。ＧＣＡ１０２の３段目の可変利得増幅器の利得を０ｄＢにする。ＰＡＤＡ１０３の利得は１２．５ｄＢの固定利得であるので、５ｄＢｍの送信信号ＩＮを得ることができる。また、０ｄＢｍの送信信号ＩＮを得るには、ＧＣＡ２の１段目の可変利得増幅器の利得を２．５ｄＢにする。ＧＣＡ２の２段目の可変利得増幅器の利得を−２．５ｄＢにする。ＧＣＡ１０２の３段目の可変利得増幅器の利得を０ｄＢにする。ＰＡＤＡ１０３の利得は１２．５ｄＢの固定利得であるので、０ｄＢｍの送信信号ＩＮを得ることができる。また、−５ｄＢｍの送信信号ＩＮを得るには、ＧＣＡ１０２の１段目の可変利得増幅器の利得を２．５ｄＢにする。ＧＣＡ１０２の２段目の可変利得増幅器の利得を−２．５ｄＢにする。ＧＣＡ１０２の３段目の可変利得増幅器の利得を−５ｄＢにする。ＰＡＤＡ１０３の利得は１２．５ｄＢの固定利得であるので、−５ｄＢｍの送信信号ＩＮを得ることができる。また、−１０ｄＢｍの送信信号ＩＮを得るには、ＧＣＡ１０２の１段目の可変利得増幅器の利得を−２．５ｄＢにする。ＧＣＡ１０２の２段目の可変利得増幅器の利得を−２．５ｄＢにする。ＧＣＡ１０２の３段目の可変利得増幅器の利得を−５ｄＢにする。ＰＡＤＡ１０３の利得は１２．５ｄＢの固定利得であるので、−１０ｄＢｍの送信信号ＩＮを得ることができる。
【００４１】
図６の送信回路では、ＰＡＤＡ１０３の利得は高めに設定され固定されるために、小さな利得を得る場合（例えば、図５の−５ｄＢｍ、−１０ｄＢｍの送信信号ＩＮを得る場合）、前段のＧＣＡ１０２で利得を下げなければならず、ＮＦが大きくなってしまう。しかし、図１の本発明の送信回路では、ＰＡＤＡ３が利得を可変できるので、前段のＧＣＡ２で必要以上に利得を下げる必要がない。図５において、−５ｄＢｍ、−１０ｄＢｍの送信信号ＩＮを得る場合、図１の送信回路は、図６の送信回路に比べ、５ｄＢ高くノイズに有利であることがわかる。
【００４２】
このようにＰＡＤＡ３の利得を可変できるようにしたので、小さな利得が要求される場合、ＰＡＤＡ３の利得を下げることによって、前段のＧＣＡ２の利得の降下を抑えることができ、ノイズを低減することができる。また、ＰＡＤＡ３の利得を可変できるようにしたことによって、ＧＣＡ２の段数を低減でき、消費電流を低減することができる。
【００４３】
また、ＰＡＤＡ３の出力段に整合回路を設けたのでＭＯＤ１、ＧＣＡ２、ＰＡＤＡ３を１チップの半導体装置で形成した場合、外付けの整合回路が不要となり実装面積を小さくすることができる。
【００４４】
なお、上記では送信回路を携帯電話に適用し基地局との距離に応じて利得を可変するとしたが、一般の無線装置に適用して無線通信する相手の無線装置との距離に応じて利得を可変するようにしてもよい。
【図面の簡単な説明】
【００４５】
【図１】本発明の送信回路の回路図である。
【図２】図１のＰＡＤＡの回路図である。
【図３】図２のＰＡＤＡをシングルにした回路図である。
【図４】図３のシングルのＰＡＤＡの等価回路である。
【図５】ＧＣＡとＰＡＤＡのレベルチャートを示した図である。
【図６】従来の携帯電話の送信回路の回路図である。
【符号の説明】
【００４６】
１……ＭＯＤ、２……ＧＣＡ、３……ＰＡＤＡ、４……ＳＡＷフィルタ、５……ＰＡ、６……ＤＵＰフィルタ、７……アンテナ、Ｑ１〜Ｑ６……トランジスタ、Ｌ１〜Ｌ４……インダクタ、Ｃ１〜Ｃ４……コンデンサ、Ｒ１〜Ｒ４……抵抗、Ｚ１，Ｚ２……インピーダンス。
【図１】
2005079943.tif 000003
【図２】
2005079943.tif 000004
【図３】
2005079943.tif 000005
【図４】
2005079943.tif 000006
【図５】
2005079943.tif 000007
【図６】
2005079943.tif 000008